(57)【要約】【課題】小型化と広帯域化とを両立する。【解決手段】実施形態によるドハティ増幅器は、キャリアアンプと、ピークアンプと、第１回路と、第２回路と、インピーダンス変換器と、を備える。キャリアアンプは、入力信号を増幅する。ピークアンプは、キャリアアンプに対して並列に設けられ、入力信号の信号レベルが閾値よりも大きい場合に入力信号を増幅する。第１回路は、キャリアアンプの出力側に接続される。第２回路は、ピークアンプの出力側に接続される。インピーダンス変換器は、第１回路を介したキャリアアンプからの出力と、第２回路を介したピークアンプからの出力と、が合成される合成点に接続される。インピーダンス変換器は、抵抗器を含まない集中定数回路により構成されるローパスフィルタタイプの回路およびハイパスフィルタタイプの回路の組み合わせによって構成されている。【選択図】図１
2018117233.tif 000002
【特許請求の範囲】
【請求項１】
入力信号を増幅するキャリアアンプと、
前記キャリアアンプに対して並列に設けられ、前記入力信号の信号レベルが閾値よりも大きい場合に前記入力信号を増幅するピークアンプと、
前記キャリアアンプの出力側に接続される第１回路と、
前記ピークアンプの出力側に接続される第２回路と、
前記第１回路を介した前記キャリアアンプからの出力と、前記第２回路を介した前記ピークアンプからの出力と、が合成される合成点に接続されるインピーダンス変換器と、
を備え、
前記インピーダンス変換器は、抵抗器を含まない集中定数回路により構成されるローパスフィルタタイプの回路およびハイパスフィルタタイプの回路の組み合わせによって構成されている、
ドハティ増幅器。
【請求項２】
前記インピーダンス変換器は、１以上の前記ローパスフィルタタイプの回路と、１以上の前記ハイパスフィルタタイプの回路と、が交互に直列に接続されることによって構成されている、
請求項１に記載のドハティ増幅器。
【請求項３】
前記第１回路および前記第２回路は、前記抵抗器を含まない前記集中定数回路により構成されている、
請求項１または２に記載のドハティ増幅器。
【請求項４】
前記ローパスフィルタタイプの回路および前記ハイパスフィルタタイプの回路は、前記集中定数回路としてのインダクタおよびキャパシタの組み合わせによって構成される、
請求項１〜３のうちいずれか１項に記載のドハティ増幅器。
【請求項５】
入力信号の入力を受け付け、受け付けた前記入力信号に対して所定の処理を施す入力処理部と、
前記入力処理部からの出力を分配する分配器と、
互いに並列に設けられ、前記分配器から出力される複数の信号をそれぞれ増幅する複数のドハティ増幅器と、
前記複数のドハティ増幅器からの出力を合成する合成器と、
前記合成器からの出力に基づいて放送用の出力信号を出力する出力部と、
を備え、
前記複数のドハティ増幅器の各々は、
前記複数の信号のうちの１つの信号を増幅するキャリアアンプと、
前記キャリアアンプに対して並列に設けられ、前記１つの信号の信号レベルが閾値よりも大きい場合に前記１つの信号を増幅するピークアンプと、
前記キャリアアンプの出力側に接続される第１回路と、
前記ピークアンプの出力側に接続される第２回路と、
前記第１回路を介した前記キャリアアンプからの出力と、前記第２回路を介した前記ピークアンプからの出力と、が合成される合成点に接続されるインピーダンス変換器と、
を備え、
前記インピーダンス変換器は、抵抗器を含まない集中定数回路により構成されるローパスフィルタタイプの回路およびハイパスフィルタタイプの回路の組み合わせによって構成されている、
放送用送信システム。
【請求項６】
前記インピーダンス変換器は、１以上の前記ローパスフィルタタイプの回路と、１以上の前記ハイパスフィルタタイプの回路と、が交互に直列的に接続されることによって構成されている、
請求項５に記載の放送用送信システム。
【請求項７】
前記第１回路および前記第２回路は、前記抵抗器を含まない前記集中定数回路により構成されている、
請求項５または６に記載の放送用送信システム。
【請求項８】
前記ローパスフィルタタイプの回路および前記ハイパスフィルタタイプの回路は、前記集中定数回路としてのインダクタおよびキャパシタの組み合わせによって構成される、
請求項５〜７のうちいずれか１項に記載の放送用送信システム。
【発明の詳細な説明】
【技術分野】
【０００１】
本発明の実施形態は、ドハティ増幅器および放送用送信システムに関する。
【背景技術】
【０００２】
従来、放送用の送信機を高効率化する目的で、キャリアアンプとピークアンプとを備えたドハティ増幅器を用いることが提案されている。また、広い周波数帯域で高効率な増幅器を実現するために、ドハティ増幅器の広帯域化も注目されている。このようなドハティ増幅器では、キャリアアンプの出力およびピークアンプの出力の合成点と、ドハティ増幅器の後段に設けられる負荷と、のインピーダンスの整合をとるために、インピーダンス変換器が設けられる。
【先行技術文献】
【特許文献】
【０００３】
【特許文献１】国際公開ＷＯ２０１６／０９８２２３号公報
【発明の概要】
【発明が解決しようとする課題】
【０００４】
従来、インピーダンス変換器は、分布定数線路により構成されることが一般的であった。しかし、ドハティ増幅器の広帯域化のためには、インピーダンス変換器も広帯域化しなければならない。例えば、インピーダンス変換器を多段の分布定数線路で構成する方法が考えられるが、１／４波長の線路を多段で接続するために回路構成が大型化してしまう。さらに、低い周波数帯では、１／４波長が大幅に長くなってしまうため、インピーダンス変換器を分布定数線路で構成すると、さらに回路が大型化してしまう。このため、ドハティ増幅器を小型化することが望まれている。
【０００５】
そこで、本発明の実施形態は、広帯域化と小型化との両立を実現することができるドハティ増幅器および放送用送信システムの提供を目的とする。
【課題を解決するための手段】
【０００６】
実施形態によるドハティ増幅器は、キャリアアンプと、ピークアンプと、第１回路と、第２回路と、インピーダンス変換器と、を備える。キャリアアンプは、入力信号を増幅する。ピークアンプは、キャリアアンプに対して並列に設けられ、入力信号の信号レベルが閾値よりも大きい場合に入力信号を増幅する。第１回路は、キャリアアンプの出力側に接続される。第２回路は、ピークアンプの出力側に接続される。インピーダンス変換器は、第１回路を介したキャリアアンプからの出力と、第２回路を介したピークアンプからの出力と、が合成される合成点に接続される。インピーダンス変換器は、抵抗器を含まない集中定数回路により構成されるローパスフィルタタイプの回路およびハイパスフィルタタイプの回路の組み合わせによって構成されている。
【図面の簡単な説明】
【０００７】
【図１】図１は、実施形態によるドハティ増幅器の概略構成を示した例示的なブロック図である。
【図２】図２は、実施形態によるインピーダンス変換器の回路構成の一例を示した例示的な回路図である。
【図３】図３は、実施形態によるインピーダンス変換器の回路構成の図２とは異なる他の一例を示した例示的な回路図である。
【図４】図４は、図２および図３に示された実施形態によるインピーダンス変換器によって得られる比帯域幅を示した例示的なグラフである。
【図５】図５は、比較例によるインピーダンス変換器の回路構成の一例を示した例示的な回路図である。
【図６】図６は、比較例によるインピーダンス変換器の回路構成の図５とは異なる他の一例を示した例示的な回路図である。
【図７】図７は、図５および図６に示された比較例によるインピーダンス変換器によって得られる比帯域幅を示した例示的なグラフである。
【図８】図８は、実施形態によるドハティ増幅器の全体の回路構成の一例を示した例示的な回路図である。
【図９】図９は、実施形態によるドハティ増幅器の全体の回路構成の図８とは異なる他の一例を示した例示的な回路図である。
【図１０】図１０は、実施形態によるドハティ増幅器の全体の回路構成の図８および図９とは異なる他の一例を示した例示的な回路図である。
【図１１】図１１は、実施形態によるドハティ増幅器の全体の回路構成の図８〜図１０とは異なる他の一例を示した例示的な回路図である。
【図１２】図１２は、実施形態によるドハティ増幅器を備えた放送用送信システムの概略構成を示した例示的なブロック図である。
【発明を実施するための形態】
【０００８】
以下、実施形態を図面に基づいて説明する。以下に記載する実施形態の構成、ならびに当該構成によってもたらされる作用および結果（効果）は、あくまで一例であって、以下の記載内容に限られるものではない。
【０００９】
図１は、実施形態によるドハティ増幅器１０の概略構成を示した例示的なブロック図である。図１に示されるように、実施形態によるドハティ増幅器１０は、キャリアアンプ１１と、ピークアンプ１２と、第１回路１３と、第２回路１４と、インピーダンス変換器１５と、を備える。
【００１０】
キャリアアンプ１１は、外部から入力される入力信号を増幅する。ピークアンプ１２は、キャリアアンプ１１と並列に設けられ、入力信号の信号レベルが閾値よりも大きい場合に、当該入力信号を増幅する。したがって、実施形態では、入力信号の信号レベルが比較的大きい場合には、キャリアアンプ１１およびピークアンプ１２の両方により、入力信号が増幅されるが、入力信号の信号レベルが比較的小さい場合には、キャリアアンプ１１のみにより、入力信号が増幅される。
【００１１】
第１回路１３は、キャリアアンプ１１の出力側に接続される。また、第２回路１４は、ピークアンプ１２の出力側に接続される。これら第１回路１３および第２回路１４は、それぞれ、バックオフ時の効率を高め、かつ飽和出力電力を伸ばすような位相を構成するために設けられる。
【００１２】
インピーダンス変換器１５は、第１回路１３を介したキャリアアンプ１１からの出力と、第２回路１４を介したピークアンプ１２からの出力と、が合成される合成点１６に接続される。インピーダンス変換器１５は、ドハティ増幅器１０の後段に設けられる負荷（図１には不図示）と、合成点１６とのインピーダンスの整合をとるために設けられる。
【００１３】
ところで、従来は、キャリアアンプ１１の出力およびピークアンプ１２の出力の合成点１６と、後段の負荷とのインピーダンスの整合を取るための回路が、比較的サイズが大きい分布定数線路により構成されることが一般的であった。したがって、従来の回路は構成が大型化してしまっていた。
【００１４】
そこで、実施形態では、回路構成の小型化を図るために、インピーダンス変換器１５を、比較的サイズが小さい集中定数回路により構成することにした。なお、集中定数回路を構成する素子としては、インダクタ（Ｌ）およびキャパシタ（Ｃ）が選択される。
【００１５】
また、詳細は後述するが、実施形態によるドハティ増幅器１０は、デジタルテレビ放送などの放送用送信システム１００（図１２参照）に適用される。
【００１６】
そこで、本願発明者が鋭意検討した結果、上述の集中定数回路により構成されるローパスフィルタタイプの回路およびハイパスフィルタタイプの回路の組み合わせによってインピーダンス変換器１５を構成することで、ドハティ増幅器１０の広帯域化と小型化とを両立するに至った。
【００１７】
以下、図２および図３を参照して、実施形態によるインピーダンス変換器１５の回路構成の具体例を２つ説明する。
【００１８】
図２は、実施形態によるインピーダンス変換器１５の回路構成の一例を示した例示的な回路図である。図２の例では、インピーダンス変換器１５が、ローパスフィルタタイプとしてのＬＣ回路１５ａと、ハイパスフィルタタイプとしてのＣＬ回路１５ｂと、が１つずつ組み合わされることで構成されている。より具体的に、図２の例では、インピーダンス変換器１５が、ＬＣ回路１５ａとＣＬ回路１５ｂとが直列的に接続されることで構成されている。図２の例では、ＬＣ回路１５ａが合成点１６に接続されている。
【００１９】
また、図３は、実施形態によるインピーダンス変換器１５の回路構成の図２とは異なる他の一例を示した例示的な回路図である。図３の例においても、図２の例と同様に、インピーダンス変換器１５が、ローパスフィルタタイプとしてのＬＣ回路１５ａと、ハイパスフィルタタイプとしてのＣＬ回路１５ｂと、が直列的に接続されることで構成されている。しかしながら、図３の例は、ＬＣ回路１５ａおよびＣＬ回路１５ｂの配置の順序が、図２の例と異なっている。すなわち、図３の例では、ＣＬ回路１５ｂが合成点１６に接続されている。
【００２０】
図２および図３に示された回路構成によれば、以下のような効果を得ることができる。
【００２１】
図４は、図２および図３に示された実施形態によるインピーダンス変換器１５によって得られる比帯域幅を示した例示的な図である。図４において、一点鎖線Ｌ１は、インピーダンス変換器１５の回路構成として図２に示された回路構成を用いた場合における信号周波数とＳパラメータ（リターンロス）との関係を表し、二点鎖線Ｌ２は、インピーダンス変換器１５の回路構成として図３に示された回路構成を用いた場合における信号周波数とリターンロスとの関係を表す。なお、図４において、実線Ｌ０は、インピーダンス変換器１５として従来と同様の分布定数線路を用いた場合における信号周波数とリターンロスとの関係を表す。
【００２２】
図４によれば、図２および図３に示された回路構成のいずれをインピーダンス変換器１５として用いても、リターンロスを所定値Ｘ以下にすることが可能な帯域幅として、インピーダンス変換器１５として従来の分布定数線路を用いる場合と略同等の比帯域幅が得られることが分かる（Ｗ０≒Ｗ１≒Ｗ２）。したがって、図２および図３の回路構成によれば、従来の分布定数線路が用いられる場合と同等の広帯域化の効果を得ながら、ドハティ増幅器１０の小型化を図ることが可能になると言える。
【００２３】
このように、実施形態では、インピーダンス変換器１５をＬＣ回路１５ａおよびＣＬ回路１５ｂの組み合わせによって構成することで、ドハティ増幅器１０の小型化と広帯域化とを両立することができる。
【００２４】
ところで、図２および図３に示された例は、いずれも、ＬＣ回路１５ａおよびＣＬ回路１５ｂがそれぞれ１つずつ組み合わされた例である。しかしながら、実施形態では、ＬＣ回路１５ａおよびＣＬ回路１５ｂが２つずつ以上組み合わされてもよい。また、実施形態では、ＬＣ回路１５ａおよびＣＬ回路１５ｂの個数が同数でなくてもよい。
【００２５】
しかしながら、複数のＬＣ回路１５ａおよび複数のＣＬ回路１５ｂの組み合わせによってインピーダンス変換器１５を構成する場合、ＬＣ回路１５ａ同士（またはＣＬ回路１５ｂ同士）を連続で配置（直列的に接続）すると、後述する比較例のように、広帯域化の観点で得られる効果が少なくなることが予想される。
【００２６】
したがって、実施形態では、複数のＬＣ回路１５ａおよび複数のＣＬ回路１５ｂの組み合わせによってインピーダンス変換器１５を構成する場合、ＬＣ回路１５ａとＣＬ回路１５ｂとを交互に配置することが望ましいと考えられる。
【００２７】
以下、比較例について説明する。
【００２８】
図５は、比較例によるインピーダンス変換器１５ｘの回路構成の一例を示した例示的な回路図である。図５の例では、インピーダンス変換器１５ｘが、ローパスフィルタタイプとしてのＬＣ回路１５ａが２つ連続で配置（直列的に接続）されることで構成されている。
【００２９】
また、図６は、比較例によるインピーダンス変換器１５ｘの回路構成の図５とは異なる他の一例を示した例示的な回路図である。図６の例では、インピーダンス変換器１５ｘが、ハイパスフィルタタイプとしてのＣＬ回路１５ｂが２つ直列に接続されることで構成されている。
【００３０】
図５および図６に示された回路構成によって得られる比帯域幅は、次のようになる。
【００３１】
図７は、図５および図６に示された比較例によるインピーダンス変換器１５ｘの特性を示した例示的な図である。図７において、一点鎖線Ｌ１１は、インピーダンス変換器１５ｘの回路構成として図５に示された回路構成を用いた場合における信号周波数とＳパラメータ（リターンロス）との関係を表し、二点鎖線Ｌ１２は、インピーダンス変換器１５ｘの回路構成として図６に示された回路構成を用いた場合における信号周波数とリターンロスとの関係を表す。なお、図７において、実線Ｌ１０は、インピーダンス変換器１５ｘとして従来と同様の分布定数線路を用いた場合における信号周波数とリターンロスとの関係を表す。
【００３２】
図７によれば、図５および図６に示された回路構成のいずれをインピーダンス変換器１５ｘとして用いても、リターンロスを所定値Ｙ以下にすることが可能な帯域幅が、インピーダンス変換器１５として従来の分布定数線路を用いる場合よりも狭くなることが分かる（Ｗ１１，Ｗ１２＜Ｗ１０）。
【００３３】
上記の比較例から、実施形態のインピーダンス変換器１５として、複数のＬＣ回路１５ａ（またはＣＬ回路１５ｂ）を連続で配置（直列的に接続）したものを用いると、広帯域化の観点で、得られる効果が比較的少なくなることが予想される。
【００３４】
したがって、実施形態では、複数のＬＣ回路１５ａおよび複数のＣＬ回路１５ｂの組み合わせによってインピーダンス変換器１５を構成する場合、ＬＣ回路１５ａとＣＬ回路１５ｂとを交互に配置（直列的に接続）することが望ましいと考えられる。
【００３５】
さらに、実施形態では、第１回路１３および第２回路１４も、分布定数線路ではなく、抵抗器を含まない上述の集中定数回路によって構成することが可能である。すなわち、実施形態では、第１回路１３および第２回路１４を、インダクタ（Ｌ）およびキャパシタ（Ｃ）の組み合わせによって構成することが可能である。
【００３６】
以下、図８〜図１１を参照して、第１回路１３および第２回路１４を集中定数回路によって構成した場合におけるドハティ増幅器１０の全体の回路構成の具体例を４つ説明する。
【００３７】
図８は、実施形態によるドハティ増幅器１０の全体の回路構成の一例を示した例示的な回路図である。図８の例では、第１回路１３および第２回路１４がそれぞれＣＬＣ回路１３ａおよび１４ａによって構成され、インピーダンス変換器１５が図２に示された回路構成によって実現されている。図８に示されたＣＬＣ回路１３ａおよび１４ａによれば、第１回路１３および第２回路１４を分布定数線路で構成した場合と同様に、ドハティ増幅器としの動作を実現することができる。
【００３８】
図９は、実施形態によるドハティ増幅器１０の全体の回路構成の図８とは異なる他の一例を示した例示的な回路図である。この図９の例は、インピーダンス変換器１５が図３に示された回路構成によって実現されている点において、図８の例と異なる。しかしながら、図９の例は、第１回路１３および第２回路１４がそれぞれＣＬＣ回路１３ａおよび１４ａによって構成されている点において、図８の例と同様である。
【００３９】
図１０は、実施形態によるドハティ増幅器１０の全体の回路構成の図８および図９とは異なる他の一例を示した例示的な回路図である。この図１０の例は、インピーダンス変換器１５が図２に示された回路構成によって実現されている点において、図８の例と同様である。しかしながら、図１０の例は、図８および図９の例と異なり、第１回路１３および第２回路１４が、それぞれＬＣＬ回路１３ｂおよび１４ｂによって構成されている。図１０に示されたＬＣＬ回路１３ｂおよび１４ｂによれば、第１回路１３および第２回路１４を分布定数線路で構成した場合と同様に、ドハティ増幅器としての動作を実現することができる。
【００４０】
図１１は、実施形態によるドハティ増幅器１０の全体の回路構成の図８〜図１０とは異なる他の一例を示した例示的な回路図である。この図１１の例は、インピーダンス変換器１５が図３に示された回路構成によって実現されている点において、図９の例と同様であり、第１回路１３および第２回路１４がそれぞれＬＣＬ回路１３ｂおよび１４ｂによって構成されている点において、図１０の例と同様である。
【００４１】
このように、実施形態では、インピーダンス変換器１５のみならず、第１回路１３および第２回路１４も、集中定数回路によって構成することができる。
【００４２】
最後に、実施形態によるドハティ増幅器１０が適用される放送用送信機１００について簡単に説明する。
【００４３】
図１２は、実施形態によるドハティ増幅器１０を備えた放送用送信システム１００の概略構成を示した例示的なブロック図である。図１２に示されるように、放送用送信システム１００は、エキサイタ１０１と、分配器１０２と、複数のドハティ増幅器１０と、合成器１０３と、バンドパスフィルタ１０４と、を備える。なお、エキサイタ１０１は、「入力処理部」の一例であり、バンドパスフィルタ１０４は、「出力部」の一例である。
【００４４】
エキサイタ１０１は、入力信号の入力を受け付け、受け付けた入力信号に対して所定の処理を施す。より具体的に、エキサイタ１０１は、スタジオなどの外部から入力される入力信号を所定の放送形式の信号に変調する変調機としての機能と、変調後の入力信号の周波数を所定の放送用の周波数に変換する励振器としての機能と、を有する。さらに、エキサイタ１０１は、後段のドハティ増幅器１０におけるＩＭ（ｉｎｔｅｒｍｏｄｕｌａｔｉｏｎ）歪の発生を抑制する非線形歪補償機能と、システム全体で発生する線形の歪を補償する線形歪補償機能と、を有する。
【００４５】
なお、上記の説明において、入力信号とは、たとえばＴＳ（Ｔｒａｎｓｐｏｒｔ  Ｓｔｒｅａｍ）信号などといった映像音声信号である。また、所定の放送形式の信号とは、たとえばＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）方式に準じたＩＦ（Ｉｎｔｅｒｍｅｄｉａｔｅ  Ｆｒｅｑｕｅｎｃｙ）帯のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号である。また、所定の放送用の周波数とは、たとえばＵＨＦ（Ｕｌｔｒａ  Ｈｉｇｈ  Ｆｒｅｑｕｅｎｃｙ）帯の周波数である。
【００４６】
分配器１０２は、エキサイタ１０１からの出力を分配する。複数のドハティ増幅器１０は、互いに並列に設けられ、分配器１０２から出力される複数の信号をそれぞれ増幅する。合成器１０３は、複数のドハティ増幅器１０からの出力を合成する。バンドパスフィルタ１０４は、合成器１０３からの出力に基づいて放送用の出力信号を出力する。より具体的に、バンドパスフィルタ１０４は、合成器１０３からの出力に帯域制限を施して、送信用アンテナ（不図示）に出力する。
【００４７】
以上説明したように、実施形態では、インピーダンス変換器１５が、抵抗器を含まない集中定数回路により構成されるローパスフィルタタイプおよびハイパスフィルタタイプの組み合わせによって構成されている（図２または図３参照）。これにより、ドハティ増幅器１０の小型化と広帯域化とを両立することができる。
【００４８】
また、実施形態では、インピーダンス変換器１５が複数のローパスフィルタタイプと複数のハイパスフィルタタイプの回路の組み合わせによって構成される場合、それらローパスフィルタタイプおよびハイパスフィルタタイプの回路が交互に配置されうる。これにより、たとえばローパスフィルタタイプの回路同士（またはハイパスフィルタタイプの回路同士）を連続で配置する場合と異なり、広帯域化の観点で得られる効果が比較的少なくなるのを抑制することができる。
【００４９】
また、実施形態では、インピーダンス変換器１５のみならず、第１回路１３および第２回路１４も、抵抗器を含まない集中定数回路により構成されうる。これにより、第１回路１３および第２回路１４を分布定数線路により構成する場合と異なり、ドハティ増幅器１０の更なる小型化を図ることができる。
【００５０】
以上、本発明の実施形態について説明したが、上述した実施形態はあくまで一例であって、発明の範囲を限定することは意図していない。上述した実施形態は、様々な形態で実施されることが可能であり、発明の要旨を逸脱しない範囲で、種々の省略、置き換え、変更を行うことができる。上述した実施形態およびその変形は、発明の範囲や要旨に含まれるとともに、特許請求の範囲に記載された発明とその均等の範囲に含まれる。
【符号の説明】
【００５１】
１０  ドハティ増幅器
１１  キャリアアンプ
１２  ピークアンプ
１３  第１回路
１４  第２回路
１５  インピーダンス変換器
１６  合成点
１００  放送用送信システム
１０１  エキサイタ（入力処理部）
１０２  分配器
１０３  合成器
１０４  バンドパスフィルタ（出力部）
【図１】
2018117233.tif 000003
【図２】
2018117233.tif 000004
【図３】
2018117233.tif 000005
【図４】
2018117233.tif 000006
【図５】
2018117233.tif 000007
【図６】
2018117233.tif 000008
【図７】
2018117233.tif 000009
【図８】
2018117233.tif 000010
【図９】
2018117233.tif 000011
【図１０】
2018117233.tif 000012
【図１１】
2018117233.tif 000013
【図１２】
2018117233.tif 000014